(57)【特許請求の範囲】
【請求項１】
被吊物が吊下げられる吊体と、該吊体を支持する支持体と、前記被吊物を収納する袋体とを備える収納具において、前記吊体は上下方向への回動を可能に枢支されており、該吊体及び支持体の一方は枢支軸心周りに固定歯を有し、他方は前記枢支軸心の方向で、且つ前記固定歯と接離する方向への移動が可能な可動歯及び該可動歯を前記固定歯に向けて付勢する弾性体を有し、該弾性体の付勢力に打ち勝って前記可動歯を枢支軸心方向で、且つ前記固定歯と離隔する位置へ移動させ、離隔した位置に前記可動歯を止めるクラッチ部を備え、該クラッチ部は前記枢支軸心周りに回動可能に支持され、周方向位置に前記枢支軸心の方向へ窪む凹部又は前記枢支軸心の方向へ突出する凸部を有する環体と、該環体に突設された操作部と、前記凹部又は凸部と係脱し前記可動歯又は固定歯の前記枢支軸心側に配された凸部又は凹部とを有することを特徴とする収納具。
【請求項２】
被吊物が吊下げられる吊体と、該吊体を支持する支持体と、前記被吊物を収納する袋体とを備える収納具において、前記吊体は上下方向への回動を可能に枢支されており、該吊体及び支持体の一方は枢支軸心周りに固定歯を有し、他方は前記枢支軸心の方向で、且つ前記固定歯と接離する方向への移動が可能な可動歯及び該可動歯を前記固定歯に向けて付勢する弾性体を有し、該弾性体の付勢力に打ち勝って前記可動歯を枢支軸心方向で、且つ前記固定歯と離隔する位置へ移動させ、離隔した位置に前記可動歯を止めるクラッチ部を備え、該クラッチ部は前記枢支軸心周りに回動可能に支持され、周方向位置に凹部又は凸部及び第１当接部を有する環体と、前記凹部又は凸部と係脱し前記環体を枢支軸心方向へ相対移動させる凸部又は凹部とを備え、前記吊体は前記第１当接部に当接して前記環体を回動させることが可能な第２当接部を有することを特徴とする収納具。
【請求項３】
前記支持体を上下方向へ移動可能に支持する支柱と、該支柱における前記支持体の上側に遊嵌され、前記袋体が被嵌される枠体と、前記支持体の移動を規制する移動規制体とを備える請求項１又は２に記載の収納具。
【請求項４】
前記支柱における前記支持体の下側に遊嵌され、前記袋体が被嵌される第２枠体を備える請求項３記載の収納具。
【請求項５】
前記移動規制体は、前記支柱に遊嵌されている筒体と、該筒体内に前記支柱と接触するロック位置及びロック解除位置への動作を可能に保持されているレバー体と、該レバー体をロック位置へ付勢する第２弾性体とを有する請求項３記載の収納具。
【請求項６】
前記枠体及び第２枠体は、前記支柱に遊嵌される大孔及び複数の小孔を開設してある筒部と、周方向の一部が開放され、その両端部が前記小孔に挿入される枠部とを有する請求項４記載の収納具。
【請求項７】
前記支柱は、下側柱体と該下側柱体に遊嵌される上側柱体と、該上側柱体及び下側柱体の相対移動量を調整する調整体とを有する請求項３から６のいずれか一つに記載の収納具。
【発明の詳細な説明】
【技術分野】
【０００１】
本発明は衣服等の被吊物を吊下げて収納するための簡易の収納具に関する。
【背景技術】
【０００２】
簡易の収納具は、その下端にキャスタを有し、横方向へ離隔して立設される二つの支柱と、該支柱を連結するハンガーバーと、一方の支柱に固定される化粧パネルとを備え、部屋の一角に横方向に装着された横桟と壁面との間の空間に出し入れ可能に格納され、ハンガーバーに吊下げられる複数の衣服を前記化粧パネルが隠蔽するように構成されたものがある（例えば、特許文献１参照。）。
【特許文献１】特開２００６−３２６１４６号公報
【発明の開示】
【発明が解決しようとする課題】
【０００３】
特許文献１の収納具にあっては、衣服が吊下げられるハンガーバーが二つの支柱間に固定されているため、収納具が比較的大型となり、比較的広い配置スペースを必要とする。しかも、ハンガーバーの両端を支持する二つの支柱が必要であり、構造が複雑であり、また、ハンガーバーに吊下げられている衣服を隠蔽する袋体を備える場合、該袋体も大型となり、梱包して搬送する際に嵩高となる。
【０００４】
本発明は斯かる事情に鑑みてなされたものであり、主たる目的は被吊物が吊下げられる吊体を上下方向への回動を可能に支持体に枢支し、該吊体及び支持体の一方に固定歯を設け、固定歯と接離する方向への移動が可能な可動歯及び該可動歯を前記固定歯に向けて付勢する弾性体を他方に設け、該弾性体の付勢力に打ち勝って前記可動歯を固定歯と離隔する位置へ移動させ、離隔した位置に前記可動歯を止めるクラッチ部を備える構成とすることにより、比較的小型にでき、比較的狭いスペースに配置することができ、また、構造を簡単にでき、梱包して搬送する際に嵩低にすることができる収納具を提供することにある。
【０００５】
また、他の目的はクラッチ部を、前記枢支軸心周りに回動可能に支持され、周方向位置に前記枢支軸心の方向へ窪む凹部又は前記枢支軸心の方向へ突出する凸部を有する環体と、該環体に突設された操作部と、前記凹部又は凸部と係脱し前記可動歯又は固定歯の前記枢支軸心側に配された凸部又は凹部とを有する構成とすることにより、操作部を操作することにより吊体を下方位置へ簡易に移動させることができ、吊体の操作性を高めることができる収納具を提供することにある。
【０００６】
また、他の目的はクラッチ部を、前記枢支軸心周りに回動可能に支持され、周方向位置に凹部又は凸部及び第１当接部を有する環体と、前記凹部又は凸部と係脱し前記環体を枢支軸心方向へ相対移動させる凸部又は凹部とを備え、前記吊体は前記第１当接部に当接して前記環体を回動させることが可能な第２当接部を有する構成とすることにより、クラッチ部を手動で操作することなく吊体を回動操作することができ、吊体の操作性をより一層高めることができる収納具を提供することにある。
【０００７】
また、他の目的は支持体を上下方向へ移動可能に支持する支柱と、該支柱における前記支持体の上側に遊嵌され、前記袋体が被嵌される枠体と、前記支持体の移動を規制する移動規制体とを備える構成とすることにより、ユーザの背丈に応じて吊体の横方向位置を簡易に調整することができる収納具を提供することにある。
【０００８】
また、他の目的は支柱における前記支持体の下側に遊嵌され、前記袋体が被嵌される第２枠体を備える構成とすることにより、吊体の高さが調整されるとき、吊体の高さ調整とともに上側の枠体と袋体及び下側の第２枠体とを上下方向へ移動させることができ、袋体の封止性を高めることができる収納具を提供することにある。
【０００９】
また、他の目的は移動規制体を、支柱に遊嵌されている筒体と、該筒体内に前記支柱と接触するロック位置及びロック解除位置への動作を可能に保持されているレバー体と、該レバー体をロック位置へ付勢する第２弾性体とを有する構成とすることにより、吊体の高さ調整を簡易にできる収納具を提供することにある。
【００１０】
また、他の目的は枠体及び第２枠体を、支柱に遊嵌される大孔及び複数の小孔を開設してある筒部と、周方向の一部が開放され、その両端部が前記小孔に挿入される枠部とを有する構成とすることにより、組立て／分解の作業性を高めることができる収納具を提供することにある。
【００１１】
また、他の目的は支柱を、下側柱体と該下側柱体に遊嵌される上側柱体と、該上側柱体及び下側柱体の相対移動量を調整する調整体とを有する構成とすることにより、吊体に吊下げられる被吊物の個数が多い場合においても支柱周りに特別の転倒防止部材を設けることなく支柱の転倒を防ぐことができる収納具を提供することにある。
【課題を解決するための手段】
【００１２】
第１発明に係る収納具は、被吊物が吊下げられる吊体と、該吊体を支持する支持体と、前記被吊物を収納する袋体とを備える収納具において、前記吊体は上下方向への回動を可能に枢支されており、該吊体及び支持体の一方は枢支軸心周りに固定歯を有し、他方は前記枢支軸心の方向で、且つ前記固定歯と接離する方向への移動が可能な可動歯及び該可動歯を前記固定歯に向けて付勢する弾性体を有し、該弾性体の付勢力に打ち勝って前記可動歯を枢支軸心方向で、且つ前記固定歯と離隔する位置へ移動させ、離隔した位置に前記可動歯を止めるクラッチ部を備え、該クラッチ部は前記枢支軸心周りに回動可能に支持され、周方向位置に前記枢支軸心の方向へ窪む凹部又は前記枢支軸心の方向へ突出する凸部を有する環体と、該環体に突設された操作部と、前記凹部又は凸部と係脱し前記可動歯又は固定歯の前記枢支軸心側に配された凸部又は凹部とを有することを特徴とする。
【００１３】
第１発明にあっては、吊体を回動操作することにより、可動歯が弾性体の付勢力に打ち勝って枢支軸心方向へ移動し、固定歯との噛合が離脱するため、吊体を横方向位置及び下方位置へスムーズに回動させることができ、吊体に吊下げられる被吊物の取出し／格納の操作性を高めることができる。しかも、横方向位置で吊体の回動操作を中断したとき、弾性体の付勢力により可動歯が固定歯と噛合するため、吊体の横方向位置を維持することができ、吊体の枢支部分の耐久性を高めることができる。また、クラッチ部が弾性体の付勢力に打ち勝って可動歯を移動させるため、可動歯が固定歯と噛合しない状態で吊体を下方位置へ自由に回動させることができ、吊体が邪魔になるのを防ぐことができ、比較的狭いスペースに配置することができる。また、吊体を一つの支持体で支持することができるため、比較的小型にでき、構造を簡単にでき、梱包して搬送する際に嵩低にできる。
【００１５】
また、第１発明にあっては、クラッチ部の環体を吊体の枢支軸心と同軸的に配置して凹部と凸部とを係合させることができるため、操作部を操作することにより環体をスムーズに回動させることができるとともに、可動歯を枢支軸心方向へスムーズに移動させることができ、吊体を下方位置へ簡易に移動させることができ、吊体の操作性、ひいては吊体に吊下げられる被吊物の取出し／格納性の操作性を高めることができる。
【００１６】
第２発明に係る収納具は、被吊物が吊下げられる吊体と、該吊体を支持する支持体と、前記被吊物を収納する袋体とを備える収納具において、前記吊体は上下方向への回動を可能に枢支されており、該吊体及び支持体の一方は枢支軸心周りに固定歯を有し、他方は前記枢支軸心の方向で、且つ前記固定歯と接離する方向への移動が可能な可動歯及び該可動歯を前記固定歯に向けて付勢する弾性体を有し、該弾性体の付勢力に打ち勝って前記可動歯を枢支軸心方向で、且つ前記固定歯と離隔する位置へ移動させ、離隔した位置に前記可動歯を止めるクラッチ部を備え、該クラッチ部は前記枢支軸心周りに回動可能に支持され、周方向位置に凹部又は凸部及び第１当接部を有する環体と、前記凹部又は凸部と係脱し前記環体を枢支軸心方向へ相対移動させる凸部又は凹部とを備え、前記吊体は前記第１当接部に当接して前記環体を回動させることが可能な第２当接部を有することを特徴とする。
【００１７】
第２発明にあっては、吊体を回動させることにより第２当接部を第１当接部に当接させて環体を回動させつつ枢支軸心方向へ相対移動させ、固定歯と可動歯との噛合を離脱し、さらに可動歯を固定歯に噛合させることができるため、クラッチ部を手動で操作することなく吊体を回動操作することができ、吊体の操作性、ひいては吊体に吊下げられる被吊物の取出し／格納の操作性をより一層高めることができる。
【００１８】
第３発明に係る収納具は、前記支持体を上下方向へ移動可能に支持する支柱と、該支柱における前記支持体の上側に遊嵌され、前記袋体が被嵌される枠体と、前記支持体の移動を規制する移動規制体とを備えることを特徴とする。
【００１９】
第３発明にあっては、吊体の高さを調整することができ、しかも、吊体の高さ調整とともに袋体を上下方向へ移動させることができるため、ユーザの背丈に応じて吊体の横方向位置を簡易に調整することができる。
【００２０】
第４発明に係る収納具は、前記支柱における前記支持体の下側に遊嵌され、前記袋体が被嵌される第２枠体を備えることを特徴とする。
【００２１】
第４発明にあっては、吊体の高さが調整されるとき、吊体の高さ調整とともに上側の枠体と袋体及び下側の第２枠体とを上下方向へ移動させることができるため、袋体の封止性を高めることができる。
【００２２】
第５発明に係る収納具は、前記移動規制体は、前記支柱に遊嵌されている筒体と、該筒体内に前記支柱と接触するロック位置及びロック解除位置への動作を可能に保持されているレバー体と、該レバー体をロック位置へ付勢する第２弾性体とを有することを特徴とする。
【００２３】
第５発明にあっては、弾性体の付勢力に打ち勝ってレバー体を操作することにより支持体の移動ロックを解除することができ、また、レバー体の操作を止めることにより支持体の移動をロックすることができるため、吊体の高さ調整を簡易にできる。
【００２４】
第６発明に係る収納具は、前記枠体及び第２枠体は、前記支柱に遊嵌される大孔及び複数の小孔を開設してある筒部と、周方向の一部が開放され、その両端部が前記小孔に挿入される枠部とを有することを特徴とする。
【００２５】
第６発明にあっては、支柱に遊嵌される筒部夫々の小孔に枠部の両端部、第２枠部の両端部を挿入することにより袋体及び第２枠体を支柱に装着することができるため、組立て／分解の作業性を高めることができる。
【００２６】
第７発明に係る収納具は、前記支柱は、下側柱体と該下側柱体に遊嵌される上側柱体と、該上側柱体及び下側柱体の相対移動量を調整する調整体とを有することを特徴とする。
【００２７】
第７発明にあっては、調整体を操作することにより、支柱の長さを調整することができるため、支柱を床面及び天井に突っ張って固定することができ、吊体につり下げられる被吊り物の個数が多い場合においても支柱周りに特別の転倒防止部材を設けることなく支柱の転倒を防ぐことができる。
【発明の効果】
【００２８】
第１発明によれば、吊体を横方向位置及び下方位置へスムーズに回動させることができるため、比較的狭いスペースに配置することができ、しかも、吊体に吊下げられる被吊物の取出し／格納の操作性を高めることができる。また、吊体を一つの支持体で支持することができるため、比較的小型にでき、構造を簡単にでき、梱包して搬送する際に嵩低にできる。
【００２９】
また、第１発明によれば、操作部を操作することにより環体をスムーズに回動させることができるとともに、可動歯を枢支軸心方向へスムーズに移動させることができ、吊体を下方位置へ簡易に移動させることができ、吊体の操作性、ひいては吊体に吊り下げられる被吊物の取出し／格納性の操作性を高めることができる。
【００３０】
第２発明によれば、クラッチ部を手動で操作することなく吊体を回動操作することができ、吊体の操作性、ひいては吊体に吊下げられる被吊物の取出し／格納の操作性をより一層高めることができる。
【００３１】
第３発明によれば、ユーザの背丈に応じて吊体の横方向位置を簡易に調整することができる。
【００３２】
第４発明によれば、吊体の高さが調整されるとき、吊体の高さ調整とともに上側の枠体と袋体及び下側の第２枠体とを上下方向へ移動させることができ、袋体の封止性を高めることができる。
【００３３】
第５発明によれば、弾性体の付勢力に打ち勝ってレバー体を操作することにより支持体の移動ロックを解除することができ、また、レバー体の操作を止めることにより支持体の移動をロックすることができ、吊体の高さ調整を簡易にできる。
【００３４】
第６発明によれば、支柱に遊嵌される筒部夫々の小孔に枠部の両端部、第２枠部の両端部を挿入することにより袋体及び第２枠体を支柱に装着することができ、組立て／分解の作業性を高めることができる。
【００３５】
第７発明によれば、支柱を床面及び天井に突っ張って固定することができ、吊体に吊下げられる被吊物の個数が多い場合においても支柱周りに特別の転倒防止部材を設けることなく支柱の転倒を防ぐことができる。
【発明を実施するための最良の形態】
【００３６】
以下、本発明をその実施の形態を示す図面に基づいて詳述する。
実施の形態１
図１は本発明に係る収納具の構成を示す模式的斜視図、図２は一部を拡大した一部切欠側面図、図３及び図４は要部の拡大断面図である。
【００３７】
この収納具は、室内における床面及び天面に突っ張って固定される支柱１と、該支柱１に上下方向への移動を可能に支持される支持体２と、該支持体２に上下方向への回動を可能に枢支される吊体３と、該吊体３の回動を制御するクラッチ部４と、吊体３に吊下げられる衣服等の被吊物を収納する袋体５と、該袋体５の上部が被嵌される枠体６と、袋体５の下部が被嵌される第２枠体７とを備える。
【００３８】
支柱１は、大径の下側柱体１ａと、該下側柱体１ａの上部に長手方向への移動を自在に遊嵌されている小径の上側柱体１ｂとを有する。下側柱体１ａ及び上側柱体１ｂはパイプからなり、下側柱体１ａの上端には上側柱体１ｂ及び下側柱体１ａの相対移動量を粗に調整する調整体１１が設けられており、また、下側柱体１ａの下端には螺子孔が開設され、該螺子孔に突張体１２が螺着され、該突張体１２を回し操作することにより下側柱体１ａの長さを微調整することができるように構成されている。
【００３９】
上側柱体１ｂの途中には支持体２の移動を規制する移動規制体１３が設けられており、また、上側柱体１ｂの上部内側には突張体１４が移動可能に嵌入され、該突張体１４を上方へ付勢するコイルバネが収納され、該コイルバネの付勢力に打ち勝って突張体１４を下方へ移動させることにより上側柱体１ｂの長さを微調整することができるように構成されている。
【００４０】
調整体１１は、下側柱体１ａの上端に固定されている筒部１１ａと、該筒部１１ａ内に上側柱体１ｂと接触するロック位置及びロック解除位置への揺動を可能に保持されているレバー体１１ｂと、該レバー体１１ｂをロック位置へ付勢するコイルバネ１１ｃとを有し、ロック位置では下側柱体１ａ及び上側柱体１ｂの相対移動を阻止し、コイルバネ１１ｃの付勢力に打ち勝ってロック位置のレバー体１１ｂを操作することにより下側柱体１ａ及び上側柱体１ｂを相対移動させることができるように構成されている。
【００４１】
筒部１１ａにおける周面の一箇所には窓孔が開設されている。レバー体１１ｂは、一端側に上側柱体１ｂに遊嵌される孔を有し、上側柱体１ｂの中心に対し傾斜して配置され、コイルバネ１１ｃの付勢力により孔縁が上側柱体１ｂの周面に当接し、下側柱体１ａ及び上側柱体１ｂの相対移動を規制してあり、他端側は筒部１１ａの窓孔から外部へ突出している。
【００４２】
移動規制体１３は、上側柱体１ｂに遊嵌されている筒部１３ａと、該筒部１３ａ内に上側柱体１ｂと接触するロック位置及びロック解除位置への揺動を可能に保持されているレバー体１３ｂと、該レバー体１３ｂをロック位置へ付勢するコイルバネ１３ｃとを有し、ロック位置では支持体２の下方への移動を阻止し、コイルバネ１３ｃの付勢力に打ち勝ってロック位置のレバー体１３ｂを操作することにより支持体２を下方へ自由に移動させることができるように構成されている。尚、コイルバネ１３ｃが第２弾性体を構成している。
【００４３】
筒部１３ａにおける周面の一箇所には窓孔が開設されている。レバー体１３ｂは、一端側に上側柱体１ｂに遊嵌される孔を有し、上側柱体１ｂの中心に対し傾斜して配置され、コイルバネ１３ｃの付勢力により孔縁が上側柱体１ｂの周面に当接し、支持体２の下方への移動を規制してあり、他端側は筒部１３ａの窓孔から外部へ突出している。
【００４４】
支持体２は、支柱１の上側柱体１ｂに回転自在に遊嵌される筒部２１をその一端に有し、上側柱体１ｂと直交的に横方向位置に配され、他端にその軸心が横方向となる軸体２２を介して吊体３が上下方向への回動を可能に枢支されている。
【００４５】
支持体２の他端は軸体２２の枢支軸心周りに同芯的に配された大径環部２３及び小径環部２４を有し、小径環部２４内に前記軸体２２が内嵌されている。大径環部２３の一端部には後記する操作部が相対移動可能に配置される凹所２５が設けられている。また、大径環部２３及び小径環部２４間の環状凹部２６には固定歯８が内嵌固定されている。
【００４６】
この固定歯８は支持体２と別個に形成されたもので、環板形をなし、前記環状凹部２６に内嵌される環部８１と、該環部８１の一側部に突設されたラチェット歯形の複数の歯８２とを有する。
【００４７】
吊体３は前記枢支軸心周りに同芯的に配置された大径環部３１及び小径環部３２と、大径環部３１の外周部にその中心軸線が前記枢支軸心と交差するように連結された杆部３３とを有しており、小径環部３２が前記小径環部２４に回動自在に外嵌されている。大径環部３１及び小径環部３２間の環状凹部３４には前記固定歯８と接離する方向への移動が可能な可動歯９と、該可動歯９を固定歯８に向けて付勢する弾性体１０と、該弾性体１０の付勢力に打ち勝って可動歯９を前記枢支軸心に沿う方向で、且つ固定歯８と離隔する位置へ移動させ、離隔した位置に可動歯９を止めるクラッチ部４の環体４１とが保持されている。杆部３３の途中にはハンガを吊下げるための吊下部材３５が設けられている。
【００４８】
この吊下部材３５は、合成樹脂製の環部３５ａ及び該環部３５ａの周方向の一箇所に突設され、前記ハンガが引掛けられる引掛部３５ｂを有し、吊体３に該吊体３の長手方向への移動を可能に外嵌され、吊体３との接触抵抗及び引掛部３５ｂに加わる荷重により移動を規制するように構成されている。
【００４９】
図５は可動歯９の構成を示すもので、(a) は正面図、(b) は側面図である。
可動歯９は小径環部３２の外周に相対回転を不可能に外嵌される環部９１と、該環部９１の枢支軸心側の一側部に突設されたラチェット歯形の複数の歯９２と、該歯９２よりも外周側で、且つ枢支軸心側の一側部に周方向に離間して枢支軸心の方向へ突設された３つの凸部９３とを有しており、コイルバネからなる前記弾性体１０の付勢力によって固定歯８と噛合する方向へ付勢され、固定歯８との噛合により、支持体２及び吊体３の相対回動を制限し、可動歯９の移動によって固定歯８との噛合を解除することにより、支持体２及び吊体３の相対回動を可能にしている。凸部９３は該凸部９３に連なる傾斜面を介して設けられている。
【００５０】
図６はクラッチ部４の一部の構成を示すもので、(a) は背面図、(b) は一部を切欠いた側面図である。また、図７は可動歯９の固定歯８との噛合が解除された状態の説明図である。
【００５１】
クラッチ部４は、前記可動歯９の周りに回動可能に配置され、前記凸部９３と係合する係合部４１ａを有する環体４１と、該環体４１の外周部に突設された操作部４２と、前記凸部９３とを備えている。係合部４１ａは凸部９３に対応する凹部、換言すると前記枢支軸心の方向へ窪む凹部からなり、可動歯９の噛合時には係合部４１ａと凸部９３とが係合し、弾性体１０により可動歯９が固定歯８と噛合する位置へ移動しており、環体４１の僅かな回動により係合部４１ａと凸部９３との係合が離脱し、環体４１の非係合部と凸部９３との係合により弾性体１０の付勢力に打ち勝って可動歯９を前記枢支軸心の方向へ離間移動させるようにしてある。
【００５２】
枠体６は、線材が矩形に曲げられた枠部６１と、該枠部６１の一辺部に固定された二つの脚部６２と、上側柱体１ｂに上下方向への移動を自在に遊嵌され、枠部６１を受止める筒部６３とを備える。筒部６３の周方向二箇所には中心に沿う方向へ開放された嵌合孔を有し、該嵌合孔に前記脚部６２が抜き出しを可能に嵌入されている。
【００５３】
第２枠体７は、線材が矩形に曲げられた枠部７１と、該枠部７１の一辺部に固定された二つの脚部７２と、下側柱体１ａに上下方向への移動を自在に遊嵌され、枠部７１を受止める筒部７３とを備える。筒部７３の周方向二箇所には中心に沿う方向へ開放された嵌合孔を有し、該嵌合孔に前記脚部７２が抜き出しを可能に嵌入されている。
【００５４】
袋体５はビニールシート等の可撓シートからなり、角筒形袋部５１の上下に蓋部を有し、角筒形袋部５１の一側にその長手方向が上下となるファスナ５２が設けられており、また、角筒形袋部５１の一側で、上蓋部側にその長手方向が横方向となる二つの第２ファスナ５３，５３が設けられており、ファスナ５２，５３により角筒形袋部５１の一側を開放し、上側の枠体６及び下側の第２枠体７に被嵌することができるように構成されている。
【００５５】
以上のように構成された収納具は、例えば室内で支柱１を上下に配し、調整体１１の操作で上側柱体１ｂ及び下側柱体１ａを上下方向へ相対移動させ、下側柱体１ａの突張体１２の下端を床面に突き当て、上側柱体１ｂの突張体１４の上端を天面に突き当て、調整体１１の操作を止めて上側柱体１ｂ及び下側柱体１ａの相対移動量を調整する。この調整により支柱１を固定することができ、吊体３が横方向位置へ回動された場合においても支柱１の転倒を防ぐことができる。尚、下側の突張体１２は下側柱体１ａに螺着されているため、該突張体１２を回し操作することにより支柱１の長さを微調整することができ、また、上側の突張体１４は上側柱体１ｂに長手方向への移動を可能に嵌入され、コイルバネにより外方へ付勢されているため、該コイルバネの付勢力に打ち勝って突張体１４を押圧することにより支柱１の長さを微調整することができ、支柱を簡易に固定することができる。
【００５６】
支柱１の途中には比較的短い長さの支持体２が回動及び上下方向への移動を自在に遊嵌支持され、該支持体２の先端に、枢支軸心が横方向となる吊体３が上下方向への回動を可能に枢支され、支柱１における支持体２の上側及び下側には筒部６３，７３が遊嵌支持されている。
【００５７】
上側の筒部６３の嵌合孔に枠体６の二つの脚部６２を嵌入することにより枠体６を支柱１に支持し、下側の筒部７３の嵌合孔に第２枠体７の二つの脚部７２を嵌入することにより第２枠体７を支柱１に支持し、ファスナ５２，５３により一側が開放されている袋体５を枠体６及び第２枠体７に外側から被嵌して袋体５を装着し、吊体３を隠蔽する。この場合、支柱１は袋体５の外部に配される。
【００５８】
以上のように配設された収納具は、長手方向の途中に複数の吊下部材３５が設けられている吊体３が下方位置に回動しており、環体４１の係合部４１ａと可動歯９の凸部９３とが係合し、弾性体１０によって付勢されている可動歯９が固定歯８と噛合しており、吊体３の自由回動が制限されている。
【００５９】
収納具内に衣服等の被吊物を収納する場合、ファスナ５２により袋体５の一側を開放した状態で下方位置の吊体３を横方向位置（ほぼ水平位置）に向けて回動させることにより、可動歯９が固定歯８に対して係脱しつつ相対回動し、ほぼ水平位置に配置させることができる。この状態で吊体３の操作を止めることにより、可動歯９と固定歯８との噛合状態が維持され、吊体３の下方への回動を阻止することができ、吊体３をほぼ水平位置に維持することができる。この状態で吊体３の吊下部材３５に衣服のハンガを引掛けることにより、複数の衣服を横方向に離隔して容易に吊下げることができ、衣服の荷重により吊体３は下方へ回動しない。また、吊体３を支持する支持体２、枠体６及び第２枠体７は支柱１を中心として３６０度回動させることができるため、室内のスペースに応じて衣服の吊下げ位置を変えることができる。
【００６０】
既に収納されている衣服を取り出す場合においても、下方位置に回動している吊体３をほぼ水平位置へ回動させることにより、上述と同様に吊体３をほぼ水平位置に維持することができ、該吊体３に吊下げられている衣服を横方向に並べることができ、該衣服を容易に取り出すことができる。
【００６１】
ほぼ水平位置の吊体３に吊下げられた衣服を下方位置へ格納する場合、弾性体１０の付勢力に打ち勝って環体４１の操作部４２を指で押圧するのであり、この押圧によって環体４１が僅かに回動し、前記係合部４１ａと凸部９３との係合が離脱するとともに、環体７１の非係合部と凸部９３とが係合し、弾性体１０の付勢力に打ち勝って可動歯９が移動し、該可動歯９の固定歯８との噛合が解除される。この結果、吊体３を下方位置に向けて自由に回動させることができる。この状態で環体４１を戻し操作することにより、係合部４１ａと可動歯９の凸部９３とが係合し、弾性体１０によって付勢されている可動歯９が固定歯８と噛合し、吊体３を下方位置に維持することができる。
【００６２】
この際、吊体３の長手方向に並べて吊下げられている衣服は、上下に段違い状に配され、支柱１と吊体３との間の比較的狭い空間に格納することができる。また、吊体３に外嵌されている吊下部材３５には偏倚した箇所に引掛部３５ｂがあり、吊下部材３５に偏荷重が加わっているため、吊下部材３５の移動はなく、吊下げ状態を維持することができる。また、ファスナにより袋体５の開放部を閉じることにより埃の侵入を防ぐことができる。
【００６３】
収納具を使用するユーザの背丈に応じて吊体３の高さを調整する場合、支柱１に設けられている移動規制体１３のレバー体１３ｂをコイルバネ１３ｃの付勢力に打ち勝って操作することにより、筒部１３ａが上側柱体１ｂに対して移動自在となり、該筒部１３ａとともに支持体２の上下位置、及び支持体２に支持されている吊体３の上下位置を調整することができる。この際、支持体２とともに枠体６が上下に移動し、該枠体６に被嵌されている袋体５を介して第２枠体７が上下に移動する。
【００６４】
実施の形態２
図８は収納具の他の構成を示す一部を拡大した一部切欠側面図、図９及び図１０は拡大断面図、図１１は固定歯８の構成を示すもので、(a) は正面図、(b) は側面図である。図１２はクラッチ部４の一部の構成を示すもので、(a) は環体の背面図、(b) は環体の一部を切欠いた側面図である。また、図１３は吊体３の回動により可動歯９の固定歯８との噛合が解除された状態の説明図、図１４は吊体３の回動により可動歯９が固定歯８と噛合した状態の説明図である。
【００６５】
この収納具は前記環体４１の凹部からなる係合部４１ａ及び操作部４２に代えて、周方向に離隔する２つの凸部４３，４３及び周方向に離隔する２つの第１当接部４４，４４を環体４１に設け、凸部４３，４３に係合して環体４１を枢支軸心方向へ移動させることが可能な２つの凸部８３，８３を固定歯８に設け、第１当接部４４，４４に当接して前記環体４１を回動させることが可能な一つの第２当接部３６を前記吊体３に設けたものであり、基本的には実施の形態１と同じである。
【００６６】
クラッチ部４は固定歯８の歯８２よりも外周側の一側部に周方向に離隔して突設された前記凸部８３，８３と、一側部に周方向に離隔して突設された凸部４３，４３を有する環体４１とを備えている。固定歯８の凸部８３，８３は歯８２よりも外周側の一側部に突設されており、凸部４３，８３同士が係合することにより弾性体１０の付勢力に打ち勝って可動歯９を離間移動させ、可動歯９の固定歯８との噛合を解除し、また、凸部４３の凸部８３との係合が解除され、凸部４３が固定歯８の非凸部と係合したとき、弾性体１０の付勢力によって可動歯９が固定歯８と噛合する方向へ付勢され、可動歯９が固定歯８と噛合するように構成されている。また、環体４１の外周部には凸部からなる２つの第１当接部４４，４４が離隔した周方向位置に突設されている。
【００６７】
支持体２の大径環部２３の一端部には周方向に離隔する２つの凹所２５，２５が設けられており、該凹所２５，２５に前記第１当接部４４，４４が相対移動可能に配置されている。
【００６８】
吊体３の杆部３３の基部には凸部からなる前記第２当接部３６が突設されている。
【００６９】
以上のように構成された収納具は、クラッチ部４の操作部４２がなく、二つの第１当接部４４，４４及び一つの第２当接部３６があるため、操作部４２を操作することなく、吊体３の先部を把持して該吊体３を回動操作するだけで吊体３をほぼ水平位置から下方位置へ回動させることができる。
【００７０】
吊体３が下方位置にある場合、クラッチ部４の凸部４３と固定歯８の非凸部とが係合し、弾性体１０によって付勢されている可動歯９が固定歯８と噛合しており、吊体３の自由回動が制限されている。また、クラッチ部４の第１当接部４４，４４は支持体２の側方及び下方に配されている。
【００７１】
収納具内に衣服を収納、又は既に収納されている衣服を取り出すべく吊体３をほぼ水平位置へ回動させる場合、可動歯９が固定歯８に対して係脱しつつ相対回動し、吊体３をほぼ水平位置に回動させることができ、このほぼ水平位置を可動歯９及び固定歯８の噛合により維持することができる。吊体３をほぼ水平位置に回動した状態で回動操作を止めることにより、可動歯９と固定歯８との噛合状態が維持され、吊体３の下方への回動を阻止することができ、吊体３をほぼ水平位置に維持することができる。この状態で吊体３の吊下部材３５に衣服のハンガを引掛けたり、吊体３の吊下部材３５に既に引掛けられている衣服を取り出すことができる。
【００７２】
ほぼ水平位置の吊体３に吊下げられた衣服を下方位置へ格納する場合、吊体３の先部を把持し、該吊体３を一旦上方へ僅かに回動させる。この吊体３の上方への回動により該吊体３の杆部３３に突設された第２当接部３６が環体４１の上側の第１当接部４４に当接し、環体４１が固定歯８に対して僅かに相対回動し、環体４１の凸部４３が固定歯８の凸部８３と係合し、弾性体１０の付勢力に打ち勝って可動歯９が移動し、該可動歯９の固定歯８との噛合が解除され、吊体３は支持体２（固定歯８）及び環体４１に対して自由に回動可能となる。この結果、吊体３を下方へ回動操作することにより、該吊体３を自由に下方へ回動させることができ、吊体３を下方位置に回動させることができる。この場合、吊体３の回動に伴い杆部３３に突設された第２当接部３６が環体４１の下側の第１当接部４４に当接し、環体４１が固定歯８に対して僅かに相対回動し、環体４１の凸部４３と固定歯８の凸部８３との係合が離脱し、弾性体１０の付勢力により可動歯９が移動し、該可動歯９が固定歯８と噛合し、吊体３を下方位置に維持することができる。
その他の構成及び作用は実施の形態１と同じであるため、同様の部品については同じ符号を付し、その詳細な説明及び作用効果の説明を省略する。
【００７３】
尚、以上説明した実施の形態では、支持体２に固定歯８を設け、吊体３に可動歯９及び環体４１を保持したが、その反対に、吊体３に固定歯８を設け、支持体２に可動歯９及び環体４１を保持してもよい。また、固定歯８と可動歯９との一方は全周に亘って歯を設け、他方は複数の周方向位置に歯を設けた構成としてもよい。また、固定歯８は支持体２又は吊体３と一体とした構成としてもよい。
【００７４】
また、以上説明した実施の形態１では環体４１に係合部４１ａを設け、可動歯９に凸部９３を設けたが、その反対に、環体４１に凸部９３を設け、可動歯９に係合部４１ａを設けた構成としてもよい。
【００７５】
また、以上説明した実施の形態２では環体４１に二つの第１当接部４４，４４を設け、吊体３に一つの第２当接部３６を設けたが、その他、環体４１に一つの第１当接部４４を設け、吊体３に二つの第２当接部３６，３６を設け、吊体３を一方向へ回動させるとき一つの第２当接部３６が第１当接部４４に当接して環体４１を回動させ、吊体３を他方向へ回動させるとき他の一つの第２当接部３６が第１当接部４４に当接して環体４１を回動させるように構成してもよい。また、第１当接部及び第２当接部の構造は特に制限されない。
【００７６】
また、以上説明した実施の形態では支持体２を上下方向へ移動可能に支持する支柱１を備える構成としたが、その他、支持体２は例えば室内の壁、柱等の静止物に取付ける構成としてもよい。
【図面の簡単な説明】
【００７７】
【図１】本発明に係る収納具の構成を示す模式的斜視図である。
【図２】本発明に係る収納具の一部を拡大した一部切欠側面図である。
【図３】本発明に係る収納具の要部の拡大断面図である。
【図４】本発明に係る収納具の要部の拡大断面図である。
【図５】本発明に係る収納具の可動歯の構成を示すもので、(a) は正面図、(b) は側面図である。
【図６】本発明に係る収納具のクラッチ部の一部の構成を示すもので、(a) は背面図、(b) は一部を切欠いた側面図である。
【図７】本発明に係る収納具の可動歯の固定歯との噛合が解除された状態の説明図である。
【図８】本発明に係る収納具の他の構成を示す一部を拡大した一部切欠側面図である。
【図９】本発明に係る収納具の他の構成を示す拡大断面図である。
【図１０】本発明に係る収納具の他の構成を示す拡大断面図である。
【図１１】本発明に係る収納具の固定歯の構成を示すもので、(a) は正面図、(b) は側面図である。
【図１２】本発明に係る収納具のクラッチ部の一部の構成を示すもので、(a) は環体の背面図、(b) は環体の一部を切欠いた側面図である。
【図１３】本発明に係る収納具の吊体の回動により可動歯の固定歯との噛合が解除された状態の説明図である。
【図１４】本発明に係る収納具の吊体の回動により可動歯が固定歯と噛合した状態の説明図である。
【符号の説明】
【００７８】
１    支柱
１１  調整体
１３  移動規制体
１３ａ  筒部
１３ｂ  レバー体
１３ｃ  コイルバネ（第２弾性体）
２    支持体
３    吊体
３６  第２当接部
４    クラッチ部
４３  凸部
４１  環体
４２  操作部
４４  第１当接部
５    袋体
６    枠体
６１  枠部
６３  筒部
７    第２枠体
７１  枠部
７３  筒部
８    固定歯
８３  凸部
９    可動歯
１０  弾性体
【図１】
0004857294.tif 000002
【図２】
0004857294.tif 000003
【図３】
0004857294.tif 000004
【図４】
0004857294.tif 000005
【図５】
0004857294.tif 000006
【図６】
0004857294.tif 000007
【図７】
0004857294.tif 000008
【図８】
0004857294.tif 000009
【図９】
0004857294.tif 000010
【図１０】
0004857294.tif 000011
【図１１】
0004857294.tif 000012
【図１２】
0004857294.tif 000013
【図１３】
0004857294.tif 000014
【図１４】
0004857294.tif 000015